(57)【要約】      （修正有）【課題】スピーカーの配線のみで、車両に簡単に取付が出来、スピーカーの音源の元から光を面として演出するイルミネーション付スピーカーを提供する。【解決手段】スピーカー３１の配線に電圧増幅装置を接続することで、イルミネーション用のＬＥＤ３３を発光させ、その光源をスピーカーの振動板表面に当てることで、振動板３５の振動による反射光の動きと、音量の変化による点滅との相乗効果により、より大きなイルミネーション効果を演出することができる。【選択図】図６
0003131927.tif 000002
【実用新案登録請求の範囲】
【請求項１】
車両用のスピーカーであって、スピーカーの配線に取付けた電圧増幅装置により、スピーカーの振動板表面に光があたる位置に取付たＬＥＤを発光させる車両用イルミネーション付きスピーカー装置。
【請求項２】
前記車両用のスピーカーであって、スピーカーの振動板表面に光を反射する素材を使用して、スピーカーカバーの裏側に振動板表面に光が反射する位置に一つ以上の発光するＬＥＤを設けた、車両用イルミネーション付きスピーカー装置。
【請求項３】
請求項１の車両用のスピーカーであって、スピーカーの振動板表面に光を反射する素材を使用して、振動板表面に光が反射するように振動板の外周にＬＥＤによるリング状の発光体を設けた、車両用イルミネーション付きスピーカー装置。
【請求項４】
請求項１の車両用のスピーカーであって、請求項２及び３記載の発光体両方を組合わせた、車両用イルミネーション付きスピーカー装置。
【考案の詳細な説明】
【考案の詳細な説明】
【技術分野】
【０００１】  本考案は、車両用のスピーカーであって、スピーカーに取付けた光源で、音源としてのスピーカー機能だけでなく、光の装飾機能も持たせたイルミネーション付き車両用スピーカーに関する。
【背景技術】
【０００２】  従来この種の車両用イルミネーション付きスピーカーは、スピーカーへ配線とは別に、イルミネーション用の光の電源としてバッテリーからの電源が必要で、スピーカーの配線とは別にイルミネーション用に配線をする必要があった。【０００３】  また、光源が直接イルミネーション用の光として直接スピーカーの周りを照らしたり、スピーカーの振動板やスピーカーのカバーを透過するように、スピーカー外部やスピーカーの内部に設置されていた。
【考案が解決しようとする課題】
【０００４】  しかしながら、イルミネーション用の光の電源を別に配線するには、スピーカーの配線以外に２度手間の配線が必要となる。
【０００５】  また、スピーカーやスピーカーのまわりを照らしたり、スピーカーの振動板やスピーカーのカバーを透過する光では、明るさの変化や光の動きの表現も弱く、イルミネーションとしては不満である。
【０００６】  また、音楽にシンクロさせて光を点滅させる為には、スピーカーの配線との接続や音量の強弱を変化させるための別の回路や装置が必要となる。
【課題を解決するための手段】
【０００７】  本考案は、スピーカーの配線に取付けた電圧増幅装置により光源となるＬＥＤを光らせてスピーカーの振動板の表面を明るく照らすことができ、同時に直接音の強弱が電圧の変化になる為、音楽へのシンクロ回路も不用である。
【０００８】  また、本考案は、スピーカーの円錐形の振動板に光を反射させる素材を使用することで、光源となるＬＥＤの光を電灯の反射板や集光板のように効率よく反射させることができる。
【実施例】
【０００９】  本考案の車両用スピーカーは、図１に示すようにスピーカー３１の配線コード２０に、電圧増幅装置３２を配線コード２１で接続し、配線コード２２でＬＥＤ３３に接続され、スピーカー３１へ流れる電力を電圧増幅回路３２で増幅して、ＬＥＤ３３を点灯させることができる。【００１０】  次に、図２に示すように、スピーカー３１の配線コード２０に、電圧増幅装置３２を配線コード２１で接続し、配線コード２３で２個のＬＥＤ３３に接続して、発光チューブ３４の両端にＬＥＤ３３を取付け、発光チューブ３４をリング状に曲げて光の環を作る。【００１１】  また、図３に示すように電圧増幅装置３２とＬＥＤ３３の間に接続された配線コード２２に、図２に示すリング状の発光チューブ３４の両端に取付けたＬＥＤ３３に接続された配線コード２３を接続し、前記ＬＥＤ３３と発光チューブ３４の両光源を点灯させることができる。【００１２】  図４は、図１の配線でＬＥＤ３３をスピーカー３１に取付けた状態を示し、スピーカーカバー３６の裏面中央部へＬＥＤ３３が取付いていて、振動板３５の表面にＬＥＤ３３の光が当たる状態を示す。尚、スピーカーカバー３６は音を通すように孔の開いたメッシュなどの形状であり、光を充分透過する。【００１３】  図５は、図２の配線で２個のＬＥＤ３３を両端に設けた発光チューブ３４を、リング状にスピーカー３１に取付けた状態を示し、スピーカーカバー３６の内側で振動板３５の外周に取付いた発光チューブ３４の光が、振動板３５の表面にたる状態を示す。尚、スピーカーカバー３６は音を通すように孔の開いたメッシュなどの形状であり、光を充分透過する。【００１３】  図６は、図３の配線で、スピーカーカバー３６の裏面中央部へ取付けたＬＥＤ３３と、２個のＬＥＤ３３を両端に設けたリング状の発光チューブ３４の両光源を、スピーカー３１に取付けた状態を示し、両光源が振動板３５の表面にあたる状態を示す。尚、スピーカーカバー３６は音を通すように孔の開いたメッシュなどの形状であり、光を充分透過する。【００１４】  図７は、図６に示すスピーカー１７をスピーカーボックス１９に取付た状態である。スピーカーカバー３６は内部説明のためセンター部分でカットした状態を示す。
【考案の効果】
【００１５】  以上のように、請求項１記載の考案によれば、車両用のスピーカーであって、スピーカーの配線のみでイルミネーション付のスピーカーとして簡単に車両に取付が出来、その光源をスピーカーの振動板表面に当てることで、振動板に描いた図柄などにより、色々なイルミネーション効果を演出できる。
【００１６】  また、請求項２及び請求項３・請求項４記載の考案によれば、スピーカーの振動板に光が反射する素材を使用することで、光源を面として表現できる。また、振動板の振動による反射光の動きと、音量の変化による点滅との相乗効果により、より大きなイルミネーション効果を演出することができる。
【図面の簡単な説明】
【図１】本考案に係わる車両用スピーカーのＬＥＤ１個の配線図。
【図２】本考案に係わる車両用スピーカーの発光チューブの配線図。
【図３】本考案に係わる車両用スピーカーのＬＥＤ１個と発光チューブの両光源を取付けた配線図。
【図４】本考案に係わる車両用スピーカーのＬＥＤ１個を取付けたスピーカーの断面図。
【図５】本考案に係わる車両用スピーカーの発光チューブを取付けたスピーカーの断面図。
【図６】本考案に係わる車両用スピーカーのＬＥＤ１個と発光チューブの両光源を取付けたスピーカーの断面図。
【図７】本考案に係わる車両用スピーカーの図６のスピーカーをスピーカーボックスに取付けた状態の前斜視図。
【符号の説明】
１９・・・スピーカーボックス
３１・・・スピーカー
３２・・・電圧増幅器
３３・・・ＬＥＤ
３４・・・発光チューブ
３５・・・振動板
３６・・・スピーカーカバー
【図１】
0003131927.tif 000003
【図２】
0003131927.tif 000004
【図３】
0003131927.tif 000005
【図４】
0003131927.tif 000006
【図５】
0003131927.tif 000007
【図６】
0003131927.tif 000008
【図７】
0003131927.tif 000009
【手続補正書】
【提出日】平成18年11月9日(2006.11.9)
【手続補正１】
【補正対象書類名】実用新案登録請求の範囲
【補正対象項目名】全文
【補正方法】変更
【補正の内容】
【実用新案登録請求の範囲】
【請求項１】
車両用のスピーカーであって、スピーカーの配線に取付けた電圧増幅装置により、スピーカーの振動板表面に光があたる位置に取付たＬＥＤを発光させる車両用イルミネーション付きスピーカー装置。
【請求項２】
前記車両用のスピーカーであって、スピーカーの振動板表面に光を反射する素材を使用して、スピーカーカバーの裏側に振動板表面に光が反射する位置に一つ以上の発光するＬＥＤを設けた、車両用イルミネーション付きスピーカー装置。
【請求項３】
請求項１の車両用のスピーカーであって、スピーカーの振動板表面に光を反射する素材を使用して、振動板表面に光が反射するように振動板の外周にＬＥＤによるリング状の発光体を設けた、車両用イルミネーション付きスピーカー装置。
【請求項４】
請求項１の車両用のスピーカーであって、請求項２又は３記載の発光体両方を組合わせた、車両用イルミネーション付きスピーカー装置。
【手続補正書】
【提出日】平成19年2月15日(2007.2.15)
【手続補正１】
【補正対象書類名】実用新案登録請求の範囲
【補正対象項目名】全文
【補正方法】変更
【補正の内容】
【実用新案登録請求の範囲】
【請求項１】
車両用のスピーカーであって、スピーカーの配線に取付けた電圧増幅装置により、スピーカーの振動板表面に光があたる位置に取付たＬＥＤを発光させる車両用イルミネーション付きスピーカー装置。
【請求項２】
前記車両用のスピーカーであって、スピーカーの振動板表面に光を反射する素材を使用して、スピーカーカバーの裏側に振動板表面に光が反射する位置に一つ以上の発光するＬＥＤを設けた、車両用イルミネーション付きスピーカー装置。
【請求項３】
請求項１の車両用のスピーカーであって、スピーカーの振動板表面に光を反射する素材を使用して、振動板表面に光が反射するように振動板の外周にＬＥＤによるリング状の発光体を設けた、車両用イルミネーション付きスピーカー装置。
【請求項４】
請求項１の車両用のスピーカーであって、スピーカーの振動板表面に光を反射する素材を使用して、スピーカーカバーの裏側に振動板表面に光が反射する位置に、ＬＥＤにより発光する点やリング状の形状の異なる発光体を２つ以上組合わせて設けた、車両用イルミネーション付きスピーカー装置。